(57)【特許請求の範囲】
【請求項１】
環状を呈するように構成されてケーブルを囲むように配置された変流器を該ケーブルに対して固定する変流器固定具において、
基端部がヒンジ結合されて開閉自在に構成され、閉じた状態で先端部がボルト及び蝶ナットからなる締結手段により締結されるように構成された１対の把持具からなり、
前記１対の把持具はそれぞれの先端部側から前記変流器の一部を嵌合させ得るように設けられた変流器保持溝と、両把持具が閉じた状態にあるときに前記変流器保持溝内に嵌合された変流器の一部の内周部に前記ケーブルを添わせた状態で該ケーブルを把持するケーブル把持部とを備え、
前記１対の把持具のケーブル把持部にはそれぞれ両把持具が閉じた際に前記ケーブルを収容する孔部を構成する１対のケーブル収容溝が設けられていて、弾力性を有する材料からなるケーブル押え片が各ケーブル収容溝内に固着され、
前記ケーブル押え片には前記１対の把持具を閉じた際に前記ケーブルを嵌合させるケーブル嵌合溝が設けられ、
前記変流器の一部を前記１対の把持具の変流器保持溝内に嵌合させた状態で両把持具を閉じて前記ケーブルを両把持具のケーブル押え片のケーブル嵌合溝内に嵌合させた際に、前記ケーブルが前記ケーブル押え片により前記変流器保持溝内に嵌合された変流器の一部の内周部に押し付けられるように、前記ケーブル押え片のケーブル嵌合溝の中心がケーブル収容溝の中心に対して偏心した位置に設定されていることを特徴とする変流器固定具。
【請求項２】
前記締結手段を構成するボルトは、一方の把持具の先端部に固定され、他方の把持具の先端部には１対の把持具を閉じた際に前記ボルトを嵌合させるボルト嵌合用の溝部が該他方の把持具の先端に開口した状態で設けられている請求項１に記載の変流器固定具。
【発明の詳細な説明】
【０００１】
【産業上の利用分野】
本発明は、変流器（ＣＴ）をケーブルに取り付ける際に用いる変流器固定具に関するものである。
【０００２】
【従来の技術】
電力設備においては、電力ケーブルに変流器を取り付けて電流の検出を行う場合がある。例えば、配電系統に設けられる地上設置形の開閉器においては、子局に線路電流情報を与えるため、地下溝から立ち上げられて開閉器に接続された３相の電源側ケーブルのそれぞれに変流器を取り付けている。ケーブルに変流器を取り付けるに当っては、変流器が落下したり位置ずれを生じたりすることがないように配慮する必要があり、また変流器の取付け部には、振動や衝撃に耐え、防水性を有することが要求される。更に変流器の取付け作業は現地での作業になるため、取付け作業性が良いことが必要とされる。
【０００３】
図１２は従来の固定具を用いて変流器ＣＴをケーブルに取り付けた状態を示し、図１３（Ａ）及び（Ｂ）はそれぞれ固定具の上面図及び半部縦断面図を示している。
【０００４】
図１２において１は地上設置形開閉器などの電力機器の箱体で、箱体１の底板に取り付けられたケーブルコネクタ２に、地下溝から立ち上げられたケーブル３の端末部３ａに設けられたコネクタ４が接続されている。変流器ＣＴは、環状の鉄心に２次コイルを巻回して構成した環状の変流器本体に絶縁外装を施した公知のもので、この変流器はケーブル３を同心的に囲むように配置されて、固定具４によりケーブル３に固定されている。
【０００５】
固定具４は、図１３（Ａ），（Ｂ）に示したように、第１及び第２の固定具半部４Ａ及び４Ｂに２つ割に構成されている。各固定具半部は合成ゴムの成形品からなっていて、ケーブル３を嵌合させるための断面円弧状の溝部４０１ａを有する固定部４０１と、固定部４０１の一端側にあって変流器ＣＴの内周に嵌合する内フランジ部４０２と、変流器ＣＴの軸線方向の一端の端面に当接して該変流器を保持する外フランジ部４０３とを一体に有し、内フランジ部４０２及び外フランジ部４０３を対称位置で軸線方向に貫通させた状態で１対の結束バンド挿通孔４０４が設けられている。
【０００６】
第１及び第２の固定具半部４Ａ及び４Ｂは、それぞれの固定部４０１，４０１の溝部４０１ａ，４０１ａにケーブル３を嵌合させるとともに、内フランジ部４０２，４０２を変流器ＣＴの内周に嵌合させ、外フランジ部４０３，４０３を変流器ＣＴの軸線方向の一端の端面に当接させた状態で配置されている。種々の径のケーブルに適応し得るようにするため、固定部４０１の溝部４０１ａの内径は大きめに形成され、該溝部４０１ａとケーブル３との間にゴム製のケーブルアダプタ５を介在させることにより、固定部４０１をケーブル３に適合させるようにしている。両固定具半部４Ａ，４Ｂの固定部４０１，４０１の外周にホースバンド６が嵌合されて該バンド６の両端がネジで締め付けられ、これにより固定部４０１，４０１がケーブル３に対して固定されている。また結束バンド挿通孔４０４に結束バンド７が挿入され、該結束バンド７により、変流器ＣＴと固定具４とが結束されている。
【０００７】
【発明が解決しようとする課題】
従来用いられていた固定具４は、変流器ＣＴの外径と同程度の外径寸法を有していて大形である上に、締め付け箇所が多いため、変流器を取付ける際の作業性が悪いという問題があった。
【０００８】
また従来の固定具は、変流器ＣＴをケーブル３と同心的に配置した状態で取付ける構造であったため、３相のケーブルに変流器を取付ける場合のように、隣接配置された複数のケーブルにそれぞれ変流器を取付ける場合に、隣接するケーブル相互間に大きな間隔を確保しておく必要があり、このことが電力機器の小形化を妨げるという問題があった。
【０００９】
更に従来の固定具により変流器をケーブルに取付ける際には、各部の締め付けを作業者の経験と勘とに頼って行っていたため、変流器の固定の確実性に欠けるきらいがあり、経時変化により変流器の位置ずれが生じたり、変流器が落下したりするおそれがあった。
【００１０】
また従来の固定具では、変流器と固定具とを結束バンドにより結束するようにしていたが、この場合、変流器を結束バンドにより過度に締め付けると変流器の表面が損傷して正常な計測を行うことができなくなることがあった。
【００１１】
更に従来の固定具では、固定具をケーブルに固定するに際してケーブルの外径寸法に見合ったアダプタ５を探す必要があったため面倒であった。
【００１２】
本発明の目的は、従来よりも小形に構成してしかも締め付け箇所を少なくして取扱いを容易にした変流器固定具を提供することにある。
【００１３】
本発明の他の目的は、隣接するケーブル相互間に特に広い間隔をとらなくても、それぞれのケーブルに変流器を取付けることができるようにした変流器固定具を提供することにある。
【００１４】
本発明の更に他の目的は、作業者の経験と勘に頼ることなく、変流器をケーブルに確実に取付けることができるようにした変流器固定具を提供することにある。
【００１５】
本発明の更に他の目的は、アダプタを用いないで、複数種類の径のケーブルに適応し得るようにした変流器固定具を提供することにある。
【００１６】
【課題を解決するための手段】
本発明は、環状を呈するように構成されてケーブルを囲むように配置された変流器を該ケーブルに対して固定する変流器固定具に係わるものである。
【００１７】
本発明に係わる変流器固定具は、基端部がヒンジ結合されて開閉自在に構成され、閉じた状態で先端部がボルト及び蝶ナットからなる締結手段により締結されるように構成された１対の把持具からなっている。
【００１８】
１対の把持具はそれぞれの先端部側から変流器の一部を嵌合させ得るように設けられた変流器保持溝と、両把持具が閉じた状態にあるときに変流器保持溝内に嵌合された変流器の一部の内周部にケーブルを添わせた状態で該ケーブルを把持するケーブル把持部とを備えている。また１対の把持具のケーブル把持部には、両把持具が閉じた際にケーブルを収容する孔部を構成する１対のケーブル収容溝が設けられていて、弾力性を有する材料からなるケーブル押え片が各ケーブル収容溝内に固着されている。
【００１９】
ケーブル押え片には１対の把持具を閉じた際にケーブルを嵌合させるケーブル嵌合溝が設けられ、変流器の一部を１対の把持具の変流器保持溝内に嵌合させた状態で両把持具を閉じてケーブルを両把持具のケーブル押え片のケーブル嵌合溝内に嵌合させた際にケーブルがケーブル押え片により変流器保持溝内に嵌合された変流器の一部の内周部に押し付けられるように、ケーブル押え片のケーブル嵌合溝の中心がケーブル収容溝の中心に対して偏心した位置に設定されている。
【００２０】
上記締結手段を構成するボルトは一方の把持具の先端部に固定しておくのが好ましい。この場合、他方の把持具の先端部には１対の把持具を閉じた際にボルトを嵌合させるボルト嵌合用の溝部を該他方の把持具の先端に開口した状態で設けておく。
【００２１】
【作用】
上記のように、基端部がヒンジ結合され先端部がボルトと蝶ナットとからなる締結手段により締結されるように構成された開閉自在な１対の把持具に変流器保持溝と、ケーブルを変流器の内周部に添わせた状態で把持するケーブル把持部とを設けておくと、ケーブルを貫通させた変流器の一部を変流器保持溝内に嵌合させた後、１対の把持具を閉じてケーブル把持部によりケーブルを把持した状態で両把持具の先端部を締結手段により締結するだけで変流器をケーブルに取り付けることができる。この場合、１対の把持具は、その基端部がヒンジ結合されていて、変流器を取り付ける際に両把持具を片手で容易に支えることができるためその取扱いが容易であり、２つ割に構成された従来の固定具を用いる場合に比べてはるかに簡単に変流器の取付け作業を行うことができる。
【００２２】
また上記のように、１対の把持具が変流器の一部のみを保持してケーブルに対して固定するように構成すると、固定具の小形化を図ることができるため、狭いスペースでの変流器の取付け作業を容易に行うことができる。
【００２３】
更に上記のように構成すると、変流器を取り付ける際の締付箇所が把持具の先端部のみとなるため、変流器の取付け作業を簡単にすることができる。
【００２４】
また上記のように構成すると、変流器は変流器保持溝内に嵌合された状態で（溝の内面に面接触した状態で）弾力性を有するケーブル押え片によりケーブルを介して締め付けられるため、変流器に無理な力が加わることがない。しかも蝶ナットの締付は１対の把持具が完全に閉じた状態になるまで行えば良いため、締付力を常にほぼ一定にすることができ、経験や勘に頼ることなく常に適正な締付力を得ることができる。従って、変流器の性能を長期間維持することができ、また変流器の位置がずれたり、落下したりするのを防ぐことができる。
【００２５】
上記のように、ケーブル把持部に設けたケーブル収容溝内に、弾力性を有する材料からなっていて該ケーブル収容溝の中心に対して偏心したケーブル嵌合溝を有するケーブル押え片を固着して、該ケーブル押え片を介してケーブルを把持するようにすると、ケーブル押え片が種々の径のケーブルに適応し得るため同じ固定具を用いて変流器を種々の異なる径のケーブルに取り付けることができる。
【００２６】
また上記のように構成すると、変流器がケーブルに対して偏心した状態で取り付けられるため、変流器をケーブルに対して同心的に配置する場合に比べて隣接ケーブル間のスペースを狭くすることができ、機器のコンパクト化を図ることができる。
【００２７】
【実施例】
図１ないし図１０は本発明の一実施例を示したもので、図１は本発明に係わる固定具により変流器をケーブルに取り付けた状態を示した斜視図、図２ないし図７はそれぞれ本実施例の固定具の正面図、背面図、左側面図、右側面図、平面図及び底面図である。また図８は本実施例の固定具の把持具を開いた状態を示した平面図、図９は本実施例の固定具により変流器をケーブルに取付けた状態を示す縦断面図、図１０及び図１１はそれぞれ本実施例の固定具により変流器を異なる径を有するケーブルに取付けた状態を、ケーブルを断面して示した上面図である。
【００２８】
図２ないし図７に示したように、本実施例の固定具１０は、樹脂の成形品からなる１対の把持具１１及び１１´からなっている。これらの把持具１１，１１´はそれぞれの基端部１１ａ，１１ａ´がヒンジ結合部１２により結合されて開閉自在に構成されている。ヒンジ結合部１２は、一方の把持具１１の基端部１１ａの端面に突設された軸結合部１２ａと、他方の把持具１１´の基端部１１ａ´の端面に突設されて軸結合部１２ａに結合された軸部１２ｂとからなっている。一方の把持具１１に設けられた軸結合部１２ａはほぼＬ形の断面形状を有していて、該軸結合部１２ａの内側に把持具１１´と反対側に開口した凹部１２a1（図３参照）が形成され、該凹部１２a1の内側に軸部１２ｂが弾撥的に嵌合されて保持されている。なお図３において１２ｃは軸部１２ｂの抜け止めを図るために軸保持部１２ａの内側の凹部１２a1の開口部に突設された爪であり、図２において１２ｄは軸保持部１２ａの開口部と反対側の壁部に形成された肉抜きのための窓部である。把持具１１と１１´とは、軸部１２ｂを軸結合部１２ａから外すことにより分離し得るようになっている。
【００２９】
図３に示したように、把持具１１はその基端部１１ａから軸線方向に間隔を開けて２つの腕部１１ｂ及び１１ｃを突出させた形状を有し、腕部１１ｂ及び１１ｃの間に変流器を嵌合させて保持する断面コの字形の変流器保持溝１５が形成されている。同様に把持具１１´は、図２に示したようにその基端部１１ａ´から軸線方向に間隔をあけて２つの腕部１１ｂ´及び１１ｃ´を突出させた形状を有していて、腕部１１ｂ´及び１１ｃ´の間に断面コの字形の変流器保持溝１５´が形成されている。変流器保持溝１５及び１５´は、把持具１１及び１１´の先端側と、両把持具の長手方向に対して直角な方向とにそれぞれ開口するように設けられていて、変流器保持溝１５及び１５´の底部１５ａ及び１５ａ´は変流器ＣＴの外周面に沿うように円筒面状に形成され、底部１５ａ，１５ａ´と直交する方向に延びる内面１５ｂ，１５ｂ´は変流器ＣＴの軸線方向の端面に面接触するように平坦に形成されている。
【００３０】
一方の把持具１１の一方の腕部１１ｂは、他方の把持具１１ｂ´の一方の腕部１１ｂ´よりも短く形成されていて、腕部１１ｂの先端部１１b1にはボルトを嵌合させるための溝部１６が該腕部１１ｂの先端側に開口した状態で形成されている。他方の把持具１１´の腕部１１ｂ´の先端部１１b1´の把持具１１と反対側の面には、ボルトの頭部を嵌合させるための溝部１７が形成され、溝部１７の底部を貫通させて、ボルトを嵌合させるための長孔１８が形成されている。溝部１６及び溝部１７はそれぞれ把持具１１及び１１´の長手方向に延びるように設けられていて、把持具１１´の先端に設けられた長孔１８は、把持具１１，１１´を閉じた状態でその一部が把持具１１の先端に設けられた溝部１６に整合するように設けられている。また長孔１８は、把持具１１の先端位置を越えて更に前方の位置まで延びるように設けられ、該長孔１８を貫通させて設けられたボルト１９の六角形の頭部１９ａが溝部１７に嵌合され、頭部１９ａと溝部１７との嵌合によりボルト１９の回り止めが図られている。
【００３１】
この例では、把持具１１，１１´を閉じた状態にしたときに、ボルト１９を溝部１７に嵌合させ得るようになっており、溝部１７に嵌合させたボルト１９に蝶ナット２０を螺合させて該蝶ナットを締め付けることにより、把持具１１，１１´を閉じた状態に保持するようになっている。図６及び図７に見られるように、把持具１１，１１´は、互いに面接触する合わせ面１１Ａ，１１Ａ´を有しており、両把持具１１，１１´を閉じた際に合わせ面１１Ａ，１１Ａ´が均一に面接触するように、即ち把持具の基端部１１ａ，１１ａ´側で合わせ面１１Ａ，１１Ａ´の間に隙間が生じることがないように、ヒンジ結合部１２が構成されている。
【００３２】
本実施例では、ボルト１９と蝶ナット２０とにより、把持具１１，１１´の先端部を締結する締結手段が構成されており、ボルト１９は合わせ面１１Ａ，１１Ａ´と直交した状態で配置されている。
【００３３】
把持具１１，１１´の腕部１１ｂ，１１ｂ´及び１１ｃ，１１ｃ´の基端部１１ａ，１１ａ´に隣接する位置にはそれぞれ、ケーブル把持部２１，２１´及び２２，２２´が形成されている。これらのケーブル把持部には、把持具１１及び１１´が閉じた際にケーブルを収容するための孔部Ｈを構成する１対のケーブル収容溝２１ａ，２１ａ´及び２２ａ，２２ａ´が設けられていて、これらのケーブル収容溝２１ａ，２１ａ´及び２２ａ，２２ａ´内には、ゴム等の弾力性を有する材料からなるケーブル押え片２３，２３´及び２４，２４´が接着により固着されている。ケーブル押え片２３，２３´及び２４，２４´は、把持具１１及び１１´を構成する樹脂よりも軟質の弾性材料により構成されている。
【００３４】
ケーブル押え片２３，２３´及び２４，２４´にはそれぞれ１対の把持具１１，１１´を閉じた際にケーブルを嵌合させるための孔部ｈを構成するケーブル嵌合溝２３ａ，２３ａ´及び２４ａ，２４ａ´が設けられている。ケーブル嵌合溝２３ａ，２３ａ´及び２４ａ，２４ａ´は、それぞれの中心Ｏ2 がケーブル収容溝２１ａ，２１ａ´及び２２ａ，２２ａ´の中心Ｏ1 に対して偏心した位置に設定されていて、図１，図９及び図１０に示したように、変流器ＣＴの一部を１対の把持具の変流器保持溝１５，１５´内に嵌合させた状態で把持具１１，１１´を閉じてケーブル３を両把持具のケーブル押え片のケーブル嵌合溝２３ａ，２３ａ´及び２４ａ，２４ａ´内に嵌合させた際に、ケーブルがケーブル押え片２３，２３´及び２４，２４´により変流器保持溝内に嵌合された変流器ＣＴの一部の内周部に押し付けられるように、ケーブル収容溝２１ａ，２１ａ´，２２ａ，２２ａ´及びケーブル嵌合溝２３ａ，２３ａ´及び２４ａ，２４ａ´の位置が設定されている。
【００３５】
なお本実施例では、ケーブル収容溝２１ａ，２１ａ´及び２２ａ，２２ａ´が半円状に形成され、これらのケーブル収容溝の中心位置Ｏ1 は該ケーブル収容溝により構成される孔部Ｈの中心に一致している。またケーブル嵌合溝２３ａ，２３ａ´及び２４ａ，２４ａ´も半円状に形成され、これらのケーブル嵌合溝の中心Ｏ2 は、両ケーブル嵌合溝２３ａ，２３ａ´及び２４ａ，２４ａ´により構成される孔部ｈの中心に一致している。
【００３６】
各図において、把持具１１，１１´の外面に形成された多数の細長い溝Ｇは、肉抜きのための溝である。
【００３７】
次に上記の固定具１０を用いて変流器ＣＴをケーブル３に取り付ける手順を説明する。図１，図９及び図１０において、変流器ＣＴは、環状の鉄心に２次コイルをトロイダル状に巻回して構成した変流器本体３０に樹脂モールド等の絶縁外装３１を施した周知のもので、全体が環状を呈するように構成されている。絶縁外装３１の一部に突設されたリード線導出部３１ａからブッシング３２を介して２次リード線３３が導出されている。変流器ＣＴは、ケーブル３を貫通させた状態で配置されている。
【００３８】
上記変流器ＣＴをケーブル３に取り付ける際には、固定具１０の蝶ネジ２０を緩めておき、ボルト１９を長孔１８の先端側に移動させておく。そして、把持具１１，１１´を開いた状態で、両把持具の変流器保持溝１５，１５´内に変流器ＣＴの一部を嵌合させる。
【００３９】
次いで把持具１１，１１´を閉じて、ケーブル嵌合溝２３ａ，２３ａ´内及び２４ａ，２４ａ´内にケーブル３を嵌合させ、把持具１１，１１´の先端部を合わせた後、ボルト１９を長孔１８に沿って移動させて把持具１１の腕部１１ｂの先端の溝部１６内に嵌合させ、蝶ナット２０を締め付けることにより把持具１１，１１´の先端を締結する。ケーブル嵌合溝２３ａ，２３ａ´及び２４ａ，２４ａ´がケーブル収容溝２１ａ，２１ａ´及び２２ａ，２２ａ´に対して偏心した状態で設けられているため、把持具１１，１１´の先端を締結すると、ケーブル押え片２３，２３´及び２４，２４´の弾性によりケーブル３が変流器ＣＴの内周面３１ｃ側に付勢され、ケーブル３は変流器ＣＴの内周部に添った状態でケーブル把持部２１，２１´及び２２，２２´により把持される。変流器ＣＴは、その内周面の一部がケーブル３に押し付けられた状態で、ケーブル３に対して固定される。
【００４０】
本実施例では、変流器保持溝１５，１５´の底部１５ａ，１５ａ´が変流器ＣＴの外周面３１ａに沿うように円筒面状に形成され、底部１５ａ，１５ａ´と直交する方向に延びる内面１５ｂ，１５ｂ´は変流器ＣＴの軸線方向端面３１ｂ，３１ｂに面接触するように平坦に形成されているため、変流器ＣＴは変流器保持溝１５，１５´内に安定に保持される。
【００４１】
本発明に係わる固定具１０においては、ケーブル押え片２３，２３´及び２４，２４´が弾力性を有していて、ケーブルの外径に応じて変形するため、同じ固定具を用いて変流器を種々の径のケーブル３に取り付けることができる。図１１は、図１０に示した例よりも径が大きなケーブルに変流器ＣＴを取り付けた状態を示している。
【００４２】
上記実施例のように、基端部１１ａ，１１ａ´がヒンジ結合され先端部１１b1，１１b1´がボルト１９と蝶ナット２０とからなる締結手段により締結されるように構成された開閉自在な１対の把持具１１，１１´に変流器保持溝１５，１５´と、ケーブルを変流器の内周部に添わせた状態で把持するケーブル把持部２１，２１´及び２２，２２´とを設けておくと、ケーブル３を貫通させた変流器ＣＴの一部を変流器保持溝１５，１５´内に嵌合させた後、把持具１１，１１´を閉じてケーブル把持部によりケーブル３を把持した状態で両把持具の先端部を締結手段により締結するだけで変流器ＣＴをケーブル３に取り付けることができる。この場合、１対の把持具１１，１１´は、その基端部がヒンジ結合されていて、変流器を取り付ける際に両把持具を片手で容易に支えることができるためその取扱いを容易にすることができ、２つ割に構成された従来の固定具を用いる場合に比べてはるかに簡単に変流器の取付け作業を行うことができる。
【００４３】
また上記実施例では、１対の把持具１１，１１´が変流器ＣＴの一部のみを保持してケーブル３に対して固定するので、固定具１０の小形化を図ることができ、狭いスペースでの変流器ＣＴの取付け作業を容易に行うことができる。
【００４４】
更に上記実施例によれば、変流器ＣＴをケーブル３に取り付ける際の締付箇所が把持具１１，１１´の先端部のみとなるため、変流器の取付け作業を簡単にすることができる。
【００４５】
また変流器は変流器保持溝の内面に面接触した状態で弾力性を有するケーブル押え片によりケーブルを介して締め付けられるため、変流器ＣＴに無理な力が加わることがない。しかも蝶ナット２０の締付は１対の把持具１１，１１´が完全に閉じた状態になるまで行えば良いため、締付力を常にほぼ一定にすることができ、経験や勘に頼ることなく常に適正な締付力を得ることができる。従って、変流器の性能を長期間維持することができ、また変流器の位置がずれたり、落下したりするのを防ぐことができる。
【００４６】
上記実施例のように、ケーブル把持部に設けたケーブル収容溝２１ａ，２１ａ´及び２２ａ，２２ａ´内に、該ケーブル収容溝の中心に対して偏心したケーブル嵌合溝を有するケーブル押え片２３ａ，２３ａ´及び２４ａ，２４ａ´を固着して、該ケーブル押え片を介してケーブルを把持するようにすると、種々の径のケーブルに対して適応できるため、同じ固定具を用いて変流器を種々の異なる径のケーブルに取り付けることができる。
【００４７】
また上記実施例のように、変流器ＣＴをケーブル３に対して偏心させた状態で取り付けると、変流器をケーブルに対して同心的に配置する場合に比べて隣接ケーブル間のスペースを狭くすることができるため、機器のコンパクト化を図ることができる。
【００４８】
【発明の効果】
本発明によれば、以下に示すような効果を得ることができる。
【００４９】
（ａ）ケーブルを貫通させた変流器の一部を１対の把持具の変流器保持溝内に嵌合させた後、１対の把持具を閉じてケーブル把持部によりケーブルを把持した状態で両把持具の先端部を締結手段により締結するだけで変流器をケーブルに取り付けることができる。しかも１対の把持具はその基端部がヒンジ結合されていて、変流器を取り付ける際に両把持具を片手で容易に支えることができるためその取扱いを容易にすることができ、変流器の取付け作業を容易にすることができる。
【００５０】
（ｂ）１対の把持具が変流器の一部のみを保持してケーブルに対して固定するように構成されているので、固定具の小形化を図ることができ、狭いスペースでの変流器の取付け作業を容易に行うことができる。
【００５１】
（ｃ）変流器を取り付ける際の締付箇所が把持具の先端部のみであるため、変流器の取付け作業を簡単にすることができる。
【００５２】
（ｄ）変流器は変流器保持溝内に嵌合された状態でケーブル押え片によりケーブルを介して締め付けられるため、変流器に無理な力が加わるのを防ぐことができる。しかも把持具の先端の締め付けは１対の把持具が完全に閉じた状態になるまで行えば良いため、締付力を常にほぼ一定にすることができ、経験や勘に頼ることなく常に適正な締付力を得ることができる。従って、変流器の性能を長期間維持することができ、また変流器の位置がずれたり、落下したりするのを防ぐことができる。
【００５３】
（ｅ）ケーブル把持部に設けたケーブル収容溝内に、弾力性を有する材料からなっていて該ケーブル収容溝の中心に対して偏心したケーブル嵌合溝を有するケーブル押え片を固着して、該ケーブル押え片を介してケーブルを把持するようにしたので、ケーブル押え片を種々の径のケーブルに適応させることができ、従来の固定具のようにアダプタを用いることなく、同じ固定具を用いて変流器を種々の異なる径のケーブルに取り付けることができる利点がある。
【００５４】
（ｆ）変流器をケーブルに対して偏心させた状態で取り付けるので、変流器をケーブルに対して同心的に配置する場合に比べて隣接ケーブル間のスペースを狭くすることができ、機器のコンパクト化を図ることができる。
【図面の簡単な説明】
【図１】本発明の実施例の固定具を用いて変流器をケーブルに取り付けた状態を示した斜視図である。
【図２】本発明の実施例の固定具の正面図である。
【図３】本発明の実施例の固定具の背面図である。
【図４】同固定具の左側面図である。
【図５】同固定具の右側面図である。
【図６】同固定具の平面図である。
【図７】同固定具の底面図である。
【図８】同固定具の把持具を開いた状態の平面図である。
【図９】同固定具を用いて変流器をケーブルに取り付けた状態を示す縦断面図である。
【図１０】同固定具を用いて変流器をケーブルに取り付けた状態をケーブルを断面して示した平面図である。
【図１１】図１０の例とは異なる径のケーブルに変流器を取り付けた状態をケーブルを断面して示した平面図である。
【図１２】従来の固定具を用いて変流器をケーブルに取り付けた状態を一部断面して示した正面図である。
【図１３】（Ａ）及び（Ｂ）はそれぞれ従来の固定具の平面図及び半部縦断面図である。
【符号の説明】
ＣＴ  変流器
３  ケーブル
１０  固定具
１１，１１´  把持具
１１ａ，１１ａ´  把持具の基端部
１１ｂ，１１ｂ´  把持具の腕部
１１ｃ，１１ｃ´  把持具の腕部
１５，１５´  変流器保持溝
１６  ボルト嵌合用の溝部
１８  長孔
１９  ボルト
２０  蝶ナット
２１，２１´，２２，２２´  ケーブル把持部
２１ａ，２１ａ´，２２ａ，２２ａ´  ケーブル収容溝
２３，２３´，２４，２４´  ケーブル押え片
２３ａ，２３ａ´，２４ａ，２４ａ´  ケーブル嵌合溝
【図１】
0003540019.tif 000002
【図２】
0003540019.tif 000003
【図３】
0003540019.tif 000004
【図４】
0003540019.tif 000005
【図５】
0003540019.tif 000006
【図６】
0003540019.tif 000007
【図７】
0003540019.tif 000008
【図８】
0003540019.tif 000009
【図９】
0003540019.tif 000010
【図１０】
0003540019.tif 000011
【図１１】
0003540019.tif 000012
【図１２】
0003540019.tif 000013
【図１３】
0003540019.tif 000014